(57)【要約】      （修正有）【課題】広告用の旗やカーテンにおいて、装着が簡単で、作業性が良く、デザイン性を阻害しない支持体を提供する。【解決手段】旗、カーテン等を支持する上部支持部３に中空部３ａとスリット５を設け、ハトメ６等の突起部を嵌挿し、突起部の幅寸法を、スリットの隙間寸法以上にする。又、旗の全幅Ａに対し、旗の上端より最下端の固定点までの距離を固定高さＢとし、  固定高さＢ＝Ａ×０．２〜４．０に構成し、旗の全高ＣをＣ＝Ｂ×１．０〜３．０に構成し、全幅Ａを３ｃｍ〜３００ｃｍと風が吹いても旗面のほぼ全面が見える旗及び支持体を提供する。【選択図】図４
2007133337.tif 000002
【特許請求の範囲】
【請求項１】
旗を支持する上部支持部の長手方向に直角な断面には、該上部支持部の中央の中空部と、それに連通した少なくともひとつのスリットを有し、前記中空部に、旗の上端部と、旗に取付けたハトメ、カシメ、リベット、クリップ等の突起部とを嵌挿し、前記スリットの隙間に旗、又は前記突起部の一部を遊嵌し、前記突起部の幅寸法を、前記スリットの隙間の幅寸法以上にすることにより、旗を支持することを特徴とする旗及び支持体。
【請求項２】
前記突起部の外側両面に突起部を保持するキャッチャーを前記中空部内に設けたことを特徴とする請求項１記載の旗及び支持体。
【請求項３】
旗の全幅Ａに対し、旗の上端より最下端の固定点までの距離を固定高さＢとし、
固定高さＢ＝Ａ×（０．２〜４．０）に構成し、旗の全高ＣをＣ＝Ｂ×（１．０〜３．０）に構成し、全幅Ａを３ｃｍ〜３００ｃｍとし、固定点をチギレ、バイヤステープ、袋縫い、ハトメ、カシメ、リベット等で構成し、旗を支持体より支持することにより、風が吹いても旗面のほぼ全面が見えることを特徴とする旗及び支持体。
【請求項４】
旗の全幅Ａに対し、旗の上端より最下端の固定点までの距離を固定高さＢとし、
固定高さＢ＝（Ａ×０．２〜４．０）に構成し、旗の全高ＣをＣ＝（Ｂ×１．０〜３．０）に構成し、全幅Ａを３ｃｍ〜３００ｃｍとし、固定点をチギレ、バイヤステープ、袋縫い、ハトメ、カシメ、リベット等で構成し、旗を支持体より支持することにより、風が吹いても旗面のほぼ全面が見えることを特徴とする請求項１又は２記載の旗及び支持体。
【請求項５】
旗及び上部支持部を円形、楕円形、放物線、ハート型等の曲線、又は山形、多角形、等の一部で形成したことを特徴とする旗及び支持体。
【請求項６】
旗及び上部支持部を円形、楕円形、放物線、ハート型等の曲線、又は山形、多角形、等の一部で形成したことを特徴とする請求項１、請求項２、請求項３又は請求項４記載の旗及び支持体。
【請求項７】
支持体の柱部が、鉛直線に対し２度〜５０度傾斜したことを特徴とする請求項１、２、３、４、５、又は６記載の旗及び支持体。
【請求項８】
カーテン等を支持する上部支持部の長手方向に直角な断面には、該上部支持部の中央の中空部と、それに連通した少なくともひとつのスリットを有し、前記中空部に、カーテン等の上端部と、カーテン等に取付けたハトメ、カシメ、リベット、クリップ等の突起部とを嵌挿し、前記スリットの隙間にカーテン等又は前記突起部の一部を遊嵌し、前記突起部の幅寸法を、前記スリットの隙間の幅寸法以上にすることにより、カーテン等を支持することを特徴とするカーテン等、及び支持体。
【請求項９】
前記突起部の外側両面に突起部を保持するキャッチャーを前記中空部内に設けたことを特徴とする請求項８記載のカーテン等、及び支持体。
【請求項１０】
上部支持部の長手方向の一部、又は全長に亘って、その断面を分割し、それらをヒンジで接合し開閉式とし、その断面上の少なくとも一箇所に、前記スリットを設けたことを特徴とする請求項１〜７記載の旗、又は請求項８、９記載のカーテン等及び支持体。
【発明の詳細な説明】
【技術分野】
【０００１】  本発明は、広告宣伝用等の旗及び支持体、又はカーテン等及び支持体に関する。
【背景技術】
【０００２】  従来より広告宣伝用の旗及び支持体が多く用いられてきたが、旗に取付けた通称「チギレ」というテープ状の繋ぎ布（以下“チギレ”と呼称する）や袋縫い、バイヤステープ等を旗に取付け、それに支柱を通して、使用するものしかなかった。
そのため、旗の装着に時間と手間が掛り、作業性が悪く、また、チギレや袋縫いが、旗のデザイン性を阻害し美感上好ましくなかった。特にチギレの場合は、取付位置の引張力で、しわが発生し、見えにくいこともあった。【０００３】  また、風の強い日や雨の日は、旗がはためいて安定せず、また巻き付いたりするため、せっかくの旗面が見えず広告宣伝の効果が果たせないことが多かった。支持体の柱部も、鉛直であるため、風で回転し、旗面が重力により、セット位置に戻ることも、できなかった。【０００４】  また、旗の形状が長方形であるため、デザイン性に乏しく、画一的で、現代の求める広告性の高い多彩なデザインができ難く変化が望まれていた。【０００５】  また、カーテンにおいても、カーテンレールに対し、カーテンを直接掛けず、カーテンフックをカーテンにつけ、それをカーテンレールのランナーに掛けて使用するため、カーテンレールより下にランナーの一部とカーテンフックが露出し、見栄えの悪いものとなっていた。スクリーンに関しても同様で、上部の吊具が複雑で見栄えの悪いものとなっていた。
【発明の開示】
【発明が解決しようとする課題】
【０００６】  本発明は、上記の欠点を解消すると共に、現代に合ったデザイン性の高い旗及び支持体、又はカーテン、スクリーン及び支持体を提供する画期的な発明である。
【課題を解決するための手段】
【０００７】  旗を支持する上部支持部の長手方向に直角な断面には、該上部支持部の中央の中空部と、それに連通した少なくともひとつのスリットを有し、前記中空部に、旗の上端部と、旗に取付けたハトメ、カシメ、リベット、クリップ等の突起部とを嵌挿し、前記スリットの隙間に旗、又は前記突起部の一部を遊嵌し、前記突起部の幅寸法を、前記スリットの隙間の幅寸法以上にすることにより、旗を支持することを特徴とする旗及び支持体を提供する。【０００８】  前記突起部の外側両面に突起部を保持するキャッチャーを前記中空部内に設けたことを特徴とする前記の旗及び支持体を提供する。【０００９】  旗の全幅Ａに対し、旗の上端より最下端の固定点までの距離を固定高さＢとし、
固定高さＢ＝Ａ×（０．２〜４．０）に構成し、旗の全高ＣをＣ＝Ｂ×（１．０〜３．０）に構成し、全幅Ａを３ｃｍ〜３００ｃｍとし、固定点をチギレ、バイヤステープ、袋縫い、ハトメ、カシメ、リベット等で構成し、旗を支持体より支持することにより、風が吹いても旗面のほぼ全面が見えることを特徴とする前記の旗及び支持体を提供する。【００１０】  旗の全幅Ａに対し、旗の上端より最下端の固定点までの距離を固定高さＢとし、
固定高さＢ＝Ａ×（０．２〜４．０）に構成し、旗の全高ＣをＣ＝Ｂ×（１．０〜３．０）に構成し、全幅Ａを３ｃｍ〜３００ｃｍとし、固定点をチギレ、バイヤステープ、袋縫い、ハトメ、カシメ、リベット等で構成し、旗を支持体より支持することにより、風が吹いても旗面のほぼ全面が見えることを特徴とする前記の旗及び支持体を提供する。【００１１】  旗及び上部支持部を円形、楕円形、放物線、ハート型等の曲線、又は山形、多角形、等の一部で形成したことを特徴とする前記の旗及び支持体を提供する。【００１２】  旗及び上部支持部を円形、楕円形、放物線、ハート型等の曲線、又は山形、多角形、等の一部で形成したことを特徴とする前記の旗及び支持体を提供する。【００１３】  支持体の柱部が、鉛直線に対し２度〜５０度傾斜したことを特徴とする前記の旗及び支持体を提供する。【００１４】  支持体の柱部を上部支持部の両端に取付けたことを特徴とする前記の旗及び支持体を提供する。【００１５】  カーテン等を支持する上部支持部の長手方向に直角な断面には、該上部支持部の中央の中空部と、それに連通した少なくともひとつのスリットを有し、前記中空部に、カーテン等の上端部と、カーテン等に取付けたハトメ、カシメ、リベット、クリップ等の突起部とを嵌挿し、前記スリットの隙間にカーテン等、又は前記突起部の一部を遊嵌し、前記突起部の幅寸法を、前記スリットの隙間の幅寸法以上にすることにより、カーテン等を支持することを特徴とする前記カーテン等及び支持体を提供する。【００１６】  前記突起部の外側両面に突起部を保持するキャッチャーを前記中空部内に設けたことを特徴とする前記のカーテン等及び支持体を提供する。【００１７】  上部支持部の長手方向の一部、又は全長に亘って、その断面を分割し、それらをヒンジで接合し開閉式とし、その断面上の少なくとも一箇所に、前記スリットを設けたことを特徴とする前記の旗、又はカーテン等、及び支持体を提供する。
【発明の効果】
【００１８】    本発明は、下記の多くの効果を有するものである。【００１９】  （１）旗の上部支持部への取付が、極めて容易に短時間で行えるため、出店時のセット時間が大幅に短くなり、少人数でできるため、経済効果が大きい。【００２０】  （２）旗の上部支持部の外面を使用して意匠的デザインや、広告等を表現できるため広告宣伝効果が向上する。【００２１】  （３）旗面の上部の殆んどが固定されるため、全体が見やすく、風や雨による巻き付きが少なくなり広告宣伝効果が向上する。【００２２】  （４）旗の上部支持部が、円形、楕円形、放物線、ハート型等の曲線、又は山形、多角形、で形成されるためデザイン性が高く、広告宣伝効果が向上する。【００２３】  （５）柱部が傾斜していることにより、重力により、常に旗面が正規位置に戻るため広告宣伝効果が向上する。【００２４】  （６）ハトメ、カシメ、リベット、クリップ等の突起部が上部支持体内に隠れているため、シンプルで、近代的な美観を持つ新鮮な意匠性の高い旗を提供し、新しい産業上の需要を獲得することができる。【００２５】  （７）ハトメ、カシメ、リベット、クリップ等の突起部が旗に取付けられているだけなので、旗を支持体から外して、単独で使用しても美観を損なわないため、壁や天井等に取付けることができるため、広告媒体としての応用範囲が大幅に広がる。【００２６】  （８）ハトメ、カシメ、リベット、クリップ等の突起部が上部支持体内に隠れているため、シンプルで、近代的な美観を持つ新鮮な意匠性の高いカーテン、スクリーンを提供し、新しい産業上の需要を獲得することができる。
（９）上部支持部の断面を分割し、開閉式とすることにより旗、又はカーテン等の取付けが、極めて簡単となる。
【発明を実施するための最良の形態】
【００２７】    本発明は、発明の効果に前述した如く、簡単な構造で広告宣伝効果のある画期的な構成を提供する。【００２８】  なお、本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。以下図面に基づいて詳細を説明する。
【実施例１】
【００２９】  以下、本発明の実施例について、図面を参照しながら説明する。
図１は実施例１の使用状態の斜視図を示す。【００３０】  図２は、実施例１の正面図を示し、図３は、図２のＢ部拡大詳細図を示し、図４は、図２の断面Ａ−Ａでの断面詳細図である。【００３１】  旗１は、上部支持部３に支えられ、該上部支持部３は、直線状の柱部４に接合され、それらで支持体２を構成している。図３、図４に示すように、旗１を支持する上部支持部３の長手方向に直角な断面Ａ−Ａには、該上部支持部３の中央の中空部３ａと連通した少なくともひとつのスリット５を有し、前記中空部３ａに、旗１の上端部と、旗に取付けたハトメ、リベット、カシメ、クリップ等の突起部６とを嵌挿し、前記スリット５の隙間５ａに、旗１、又は前記突起部６の一部を遊嵌している。
前記スリット５を設ける範囲は、上部支持部３の一部、又は全部、または、図１に示すように、柱部４等に亘って設けてもよい。【００３２】  図５は、突起部６を、クリップで構成したものを示す。該クリップは、２つ割で上部のヒンジ部を中心に開閉し、はさんで留める物である。
該クリップで留めることにより、旗に孔をあけることなく、上部支持部３に取付けることができる、更に望ましい構造である。【００３３】  このように構成することにより、旗１の上端部と、そこに旗１の支持に適した間隔で設けられた突起部６とを、上部支持部３の一端部より、中空部３ａに嵌挿し、前記スリット５の隙間５ａに、旗１、又は前記突起部６の一部を遊嵌して、旗１を装着する。
旗１と突起部６は、順次、中空部３ａに挿入できるため，容易に旗１の取付ができ、その後、風等によるはずれを防止するため上部支持部３の一端、もしくは任意の位置に留め具７を取付けて、旗を固定する。
従って、従来、チギレ、バイヤステープ等を上部支持部に、はめ込み取付けていたので、非常に時間と手間が掛っていた。【００３４】  特に、図６に示す実施例は、上部支持部３と、柱部４とでＬ型とした形態を示す。従来は、水平の上部支持部と柱部を夫々別々に、チギレや袋縫い等により取付けていたが、本実施例では、上部支持部３の一端から旗１及び突起部６を挿入していけば柱部４にも、一気に装着できる。そのため極めて短時間で能率的に、旗の取付けができるのである。【００３５】  また、チギレ等が、上部支持部３の外面にあるため、デザイン性を阻害していた。本発明においては、旗１と突起部６は、上部支持部３の内部に嵌挿されているため、上部支持部３の外面に、意匠的デザインを施したり、また広告宣伝用の面として利用することが可能となったのである。従って、旗の本来の主たる効果である広告宣伝効果が飛躍的に向上したのである。【００３６】  材質例としては、旗１は天然繊維、不織布、合成樹脂等による織物、合成樹脂シート、紙及び紙に樹脂を含浸させたシート等で製作される。また、上部支持部３及び、柱部４の材質は、塩化ビニール、アクリル樹脂、ポリプロピレン等の合成樹脂、アルミ、鉄等の金属、又は木材等が使用される。【００３７】  図１に示すように、支持体２の柱部４は、既存の支持パイプ８に、嵌め込み、ねじ込み、ボルト止め等により接合され、該支持パイプ８を介して従来の金属製、コンクリート製や水、砂を封入したケースの台座、又は建物に固定された取付部等の基礎部３０で固定されている。
【実施例２】
【００３８】  図７、図８、図９に示すように、旗１の全幅Ａに対し、旗の上端より最下端の固定点１０までの距離を固定高さＢとし、
固定高さＢ＝Ａ×（０．２〜４．０）に構成し、旗の全高ＣをＣ＝Ｂ×（１．０〜３．０）に構成し、全幅Ａを３ｃｍ〜３００ｃｍとし、固定点１０をチギレ、バイヤステープ、袋縫い、ハトメ、リベット、クリップ又は何らかの固定具等で構成する。旗の全体の固定は、例えば図７、図８、図９に示すように、チギレ９を用いても良いし、袋縫い、バイヤステープ等でも良い。【００３９】  このよう寸法構成で、上部支持部に固定することにより、風が吹いても旗面のほぼ全面が固定点１０により視認可能となり、広告宣伝効果が、飛躍的に向上するものである。
全幅Ａは３ｃｍ未満では、旗面が小さすぎてその広告宣伝効果が大幅に減少するため不必要である。
また、３００ｃｍ以上では風の影響を受け、風圧による強度上の問題が発生し、支持体の強度を大幅に上げる必要が生じ製作上も経済的でなく取付も困難となるためである。【００４０】  図８に例示するように、固定高さＢを全幅Ａの０．２以上とする。このように構成すると、旗１は、楕円形等の横長形状となり、旗面は固定される。然るに０．２未満とすると、旗面が細長くなり、旗面の表記がしずらくなるため広告宣伝効果が大幅に減少するためである。【００４１】  また、図９に例示するように、固定高さＢを全幅Ａの４．０倍とした場合は、旗１は上下方向に縦長状に長く固定されるため、旗面のめくれは無く視認しやすいが、４．０以上とすると、風の影響を受け、風圧による強度上の問題が発生し、支持体の強度を大幅に上げる必要が生じ製作上も経済的でなく取付も困難となるためである。【００４２】  図７、図８、図９に例示するように、旗の全高Ｃを、固定高さＢの１．０から３．０倍とする。これは、固定高さＣと全高Ｃを同一にすることにより全面を固定することと、固定高さの３．０倍までの範囲は、旗面のまくれの影響が少なく、旗面が視認できるが、３．０倍以上になると、まくれの影響が大きくなり、旗面が安定しないためである。
【実施例３】
【００４３】図１０、図１１、図１２、図１３には、「特許請求の範囲」の請求項５又は６の旗１及び上部支持体３の各種の形態を示している。図１０は、楕円形、又は放物線タイプを示し。図１１は、山形を示し、図１２は、多角形の一部を示し、第１３図は、ハート型を示している。また旗１の形状も、図１４〜図１９等にすることができる。
【実施例４】
【００４４】  本実施例の形態は、「特許請求の範囲」の請求項７の形態であって、図２０に示す。柱部４は、鉛直に対し、θ＝２度〜５０度傾斜している。
このように構成することで、旗１及び上部支持体３は、風でたなびいても常にその重力により、初期位置に、戻る効果を発揮する。そのため旗面は常に視認できるので、広告宣伝効果が保たれるのである。【００４５】    図２１、図２２、図２３は、「特許請求の範囲」の請求項２におけるキャッチャー１１を示す。キャッチャー１１の底部には、摺動性を有するベアリング、ローラー等の摺動具１２を設けてもよい。【００４６】    図２４は、「特許請求の範囲」の請求項８に示すカーテン１３、又はスクリーン１３及び上部支持部３の全体正面図を示し、図２５はそのＣ部拡大断面図を示す。【００４７】  図２６〜図３１は、「特許請求の範囲」の請求項１０に示す開閉式の構成を示す。
図２６、図２７の構成は、半割の上部支持部１４がヒンジ部１５で結合され、カーテン１３、またはスクリーン１３は、突起部６を介して取付けられ、図２７に示すように、取付時は、留めネジ１６を緩め、上部支持部１４を回転させ、突起部６を引っ掛けて、半割の上部支持部１４を閉じて取付けられようになっている。【００４８】  図２８、図２９の構成は、上部支持部１４の中空部１４ａの内側には駒１８が挿入され、突起部６が該駒１８の軸部に遊嵌されている。また、上部支持部１４は、ヒンジ部１５により開閉可能となっている。【００４９】  図３０、図３１の構成は、上部支持部１４の中空部１４ａの内側には駒１９が挿入され、ツメ２０が開閉可能なヒンジ部２１を介して駒１９に取付けられ、カーテン１３又はスクリーン１３をはさみ、固定している。【００５０】  また、図３２は、カーテン１３にタックを取ったときの実施例で、３枚重ね部に、ハトメによる突起部６で固定した構成である。図３３も同様にカーテン１３のタックを、クリップによる突起部６で固定した実施例を示す。これらの構成により、通常のカーテン１３にも、本発明を適用できるのである。前記突起部６を上部支持部３に嵌挿して、カーテン１３を取付けるのである。【００５１】  前記の旗、カーテン等及び支持体の寸法、寸法比率は、その使用の目的に対し、最適に構成することが、実用上極めて重要であり、前述の目的場面に置ける大きな必要性に答えるため、数多くの試作と実験を行い、最適条件を得ることができた。【００５２】  その上で、本寸法限定を行うことにより発明の目的を達成することができた。従って誰でもが、思いつくような単なる設計上の選択範囲ではない技術思想を提供するものである。【００５３】    ［変形実施例］
本発明は下記の変形実施例を含むものである。
（１）図２６〜図３３の開閉式の構成は、形状が適合する請求項１〜請求項７記載の旗及び支持体にも、適用できるものである。
（２）前記柱部４を、前記上部支持部３の左右の両端に設け、２本の支持パイプ８を介して従来の金属製、コンクリート製や水、砂を封入したケースの台座、又は建物に固定された取付部等の２個の基礎部３０で固定して、強度を増加させても良い。
【産業上の利用可能性】
【００５４】  本発明の活用例としては、以上説明したように、屋内、屋外を問わず、産業の発展推進を促す広告宣伝、及び意匠性を高めることでの販売促進に、飛躍的な効果を発揮する旗及び支持体を提供する。また、意匠性の高いカーテン、スクリーンを提供することにより、新しい商品の販売を可能にする。
【図面の簡単な説明】
【００５５】
【図１】  実施例１の使用状態の斜視図を示す。
【図２】  実施例１の正面図である。
【図３】  Ｂ部拡大詳細図である。
【図４】  断面Ａ−Ａでの断面詳細図である。
【図５】  クリップの形態を示す斜視図である。
【図６】  Ｌ形の形態を示す正面図である。
【図７】  旗の寸法関係を示す正面図である。
【図８】  旗の寸法関係を示す正面図である。
【図９】  旗の寸法関係を示す正面図である。
【図１０】  旗及び上部支持部の形態を示す正面図である。
【図１１】  旗及び上部支持部の形態を示す正面図である。
【図１２】  旗及び上部支持部の形態を示す正面図である。
【図１３】  旗及び上部支持部の形態を示す正面図である。
【図１４】  旗の形状を示す正面図である。
【図１５】  旗の形状を示す正面図である。
【図１６】  旗の形状を示す正面図である。
【図１７】  旗の形状を示す正面図である。
【図１８】  旗の形状を示す正面図である。
【図１９】  旗の形状を示す正面図である。
【図２０】  実施例４の形態を示す正面図である。
【図２１】  キャッチャー１１の形状を示す断面斜視図である。
【図２２】  キャッチャー１１の形状を示す断面斜視図である。
【図２３】  キャッチャー１１の形状を示す断面斜視図である。
【図２４】  カーテン又は、スクリーン及び支持体を示す正面図である。
【図２５】  Ｃ部拡大図である。
【図２６】  請求項１０に示す開閉式を示す断面拡大図である。
【図２７】  図２６の構造の取付け状態を示す断面拡大図である。
【図２８】  請求項１０に示す開閉式を示す断面拡大図である。
【図２９】  駒１８を示す拡大図である。
【図３０】  請求項１０に示す開閉式を示す断面拡大図である。
【図３１】  駒１９を示す拡大図である。
【図３２】  カーテンのタックをハトメによる突起部で固定した部分拡大図である。
【図３３】  カーテンのタックをクリップによる突起部で固定した部分拡大図である。
【符号の説明】
【００５６】１          旗
２          支持体
３          上部支持部
３ａ        中空部
４          柱部
５          スリット
５ａ        隙間
６          突起部
７          留め具
８          支持パイプ
９          チギレ
１０        固定点
１１        キャッチャー
１２        摺動具
１３        カーテン又は、スクリーン
１４        上部支持部
１４ａ      中空部
１５        ヒンジ部
１６、１７  留めネジ
１８、１９  駒
２０        ツメ
２１        ヒンジ部
３０        基礎部
【図１】
2007133337.tif 000003
【図２】
2007133337.tif 000004
【図３】
2007133337.tif 000005
【図４】
2007133337.tif 000006
【図５】
2007133337.tif 000007
【図６】
2007133337.tif 000008
【図７】
2007133337.tif 000009
【図８】
2007133337.tif 000010
【図９】
2007133337.tif 000011
【図１０】
2007133337.tif 000012
【図１１】
2007133337.tif 000013
【図１２】
2007133337.tif 000014
【図１３】
2007133337.tif 000015
【図１４】
2007133337.tif 000016
【図１５】
2007133337.tif 000017
【図１６】
2007133337.tif 000018
【図１７】
2007133337.tif 000019
【図１８】
2007133337.tif 000020
【図１９】
2007133337.tif 000021
【図２０】
2007133337.tif 000022
【図２１】
2007133337.tif 000023
【図２２】
2007133337.tif 000024
【図２３】
2007133337.tif 000025
【図２４】
2007133337.tif 000026
【図２５】
2007133337.tif 000027
【図２６】
2007133337.tif 000028
【図２７】
2007133337.tif 000029
【図２８】
2007133337.tif 000030
【図２９】
2007133337.tif 000031
【図３０】
2007133337.tif 000032
【図３１】
2007133337.tif 000033
【図３２】
2007133337.tif 000034
【図３３】
2007133337.tif 000035